(57)【特許請求の範囲】
【請求項１】
ａ．一枚の段ボール板を材料として、正面視四角形から成り、中間に水平方向に内側に折り曲げるための折り目線７を形成して成る左側四角面部２と右側四角面部３を左右に並べて形成する、
ｂ．前記左側四角面部２及び右側四角面部３を前記折り目線７から上半において帯状の第１側体面４で連結し、この第１側体面４の中間に縦方向に内側に折り曲げるための折り目線７を形成する、
ｃ．前記左側四角面部２の折り目線７より上の左辺に沿って、前記第１側体面４と同一幅に内側に折り曲げるための折り目線７を境にして貼り代面部６を形成する、
ｄ．前記右側四角面部３の折り目線７より上の右辺に沿って、第１側体面４と同一長さに内側に折り曲げるための折り目線７を境にして第２側体面５を形成し、この第２側体面５の中間に縦方向に内側に折り曲げるための折り目線７を形成する、
ｅ．前記第１側体面４の中間の折り目線７により左側四角面部２と右側四角面部３を内側に二つ折りに形成して、貼り代面部６と第２側体面５の先端側を接着剤で貼り合せることにより、左側四角面部２と右側四角面部３を連結して偏平に折り畳まれた箱部材８を形成する、
ｆ．次に、前記ｅで重ね合わせて偏平化したときの箱部材８の左右の幅が入る内幅から成り、更に上下幅が前記左側四角面部２と右側四角面部３の縦幅の略２倍の大きさに設定された２枚の四角形のプラスチックシートを左側辺１０と右側辺１０ａ及び底辺１１に沿ってヒートシールすることにより、三方シールされた外装袋９を形成する、
ｇ．前記外装袋９において、ヒートシールされていない上辺１２の開口部から前記箱部材８を外装袋９内の底辺１１につくまで挿入し、その上で外装袋９の上辺１２をヒートシールすることにより、外装袋９を密封する、
ｈ．上記した外装袋９内の箱部材を開いて四角形の箱体とする場合には、重ね合わせた左側四角面部２と右側四角面部３を前後に少し開いた後、外装袋９の上半をすべて内側に折って入れ、次に、左側四角面部２と右側四角面部３を前後に更に開いて平面視四角形に形成すると共に、左側四角面部２と右側四角面部３の中間の折り目線７のところで下半を内側に水平になるまで折って箱体Ａの底面を形成する、
ｉ．次に、前記ｈで箱体Ａの底面を形成することにより、外装袋９の左側辺１０、右側辺１０ａと底辺１１により下向きに形成された三角形状の耳部１３、１３ａを、第１側体面４と第２側体面５の下縁と左側四角面部２及び右側四角面部３の下半をそれぞれ内側に折り曲げて出来た前記底面間との隙間からそれぞれ箱体Ａ内に押し込んで処理することにより全体を四角形の箱体Ａに固定する、
ｊ．前記四角形の箱体Ａ内の各辺の寸法と同一の大きさから成る四角形の段ボール板を偏平な四角形のプラスチックシート製の底袋１４内に密封して底板Ｃを形成し、この底板Ｃを前記ｉで四角形に形成された箱体Ａ内の底面上に内底として敷き込む、
ｋ．ことを特徴とする耐水断熱段ボール箱の製法。
【発明の詳細な説明】
【０００１】
【発明の属する技術分野】
本発明は、魚介類等の輸送用に使用されている発泡スチロール製容器の代替として使用できる耐水、断熱及び折り畳み自在並びにリサイクルが容易な段ボール箱の製法に関するものである。
【０００２】
【従来の技術】
魚介類の輸送容器として、発泡スチロール成形品が利用されている。
この理由は、発泡スチロール成形容器は、中に氷を入れて輸送する場合に溶け出た水が外に洩れない、断熱性に優れている、軽量である、比較的コストが安い、等の特徴を有するためである。
【０００３】
【発明が解決しようとする課題】
しかし、発泡スチロールの成形容器の場合にはそれ自体がかさばる廃プラスチックとして社会問題となっている。又、昨今ではリサイクル化が推進されているが、容器の減容化、回収コスト、再生コスト、再生用途夫々に関して完全な対策／システムが確立されておらず、いまだ多くの問題を抱えている。そこで、耐水段ボールが一部利用されているが、この耐水段ボールの場合には、特殊な原紙を使用したり、特殊な表面加工を必要とするため、製造コストも高く、また、液密性、断熱性の問題から発泡スチロール成形容器の代替となるレベルまでは至っていない。
本発明の目的は、発泡スチロール成形容器の代替として十分に機能し、然もリサイクルが容易で、コストも安い耐水及び断熱性を有し、折り畳みが自在な段ボール箱の製法を提供することである。
【０００４】
【課題を解決するための手段】
上記目的を達成するために、請求項１に記載された容器の発明においては、耐水断熱段ボール箱の製法において、ａ．一枚の段ボール板を材料として、正面視四角形から成り、中間に水平方向に内側に折り曲げるための折り目線７を形成して成る左側四角面部２と右側四角面部３を左右に並べて形成する、
ｂ．前記左側四角面部２及び右側四角面部３を前記折り目線７から上半において帯状の第１側体面４で連結し、この第１側体面４の中間に縦方向に内側に折り曲げるための折り目線７を形成する、
ｃ．前記左側四角面部２の折り目線７より上の左辺に沿って、前記第１側体面４と同一幅に内側に折り曲げるための折り目線７を境にして貼り代面部６を形成する、
ｄ．前記右側四角面部３の折り目線７より上の右辺に沿って、第１側体面４と同一長さに内側に折り曲げるための折り目線７を境にして第２側体面５を形成し、この第２側体面５の中間に縦方向に内側に折り曲げるための折り目線７を形成する、
ｅ．前記第１側体面４の中間の折り目線７により左側四角面部２と右側四角面部３を内側に二つ折りに形成して、貼り代面部６と第２側体面５の先端側を接着剤で貼り合せることにより、左側四角面部２と右側四角面部３を連結して偏平に折り畳まれた箱部材８を形成する、
ｆ．次に、前記ｅで重ね合わせて偏平化したときの箱部材８の左右の幅が入る内幅から成り、更に上下幅が前記左側四角面部２と右側四角面部３の縦幅の略２倍の大きさに設定された２枚の四角形のプラスチックシートを左側辺１０と右側辺１０ａ及び底辺１１に沿ってヒートシールすることにより、三方シールされた外装袋９を形成する、
ｇ．前記外装袋９において、ヒートシールされていない上辺１２の開口部から前記箱部材８を外装袋９内の底辺１１につくまで挿入し、その上で外装袋９の上辺１２をヒートシールすることにより、外装袋９を密封する、
ｈ．上記した外装袋９内の箱部材を開いて四角形の箱体とする場合には、重ね合わせた左側四角面部２と右側四角面部３を前後に少し開いた後、外装袋９の上半をすべて内側に折って入れ、次に、左側四角面部２と右側四角面部３を前後に更に開いて平面視四角形に形成すると共に、左側四角面部２と右側四角面部３の中間の折り目線７のところで下半を内側に水平になるまで折って箱体Ａの底面を形成する、
ｉ．次に、前記ｈで箱体Ａの底面を形成することにより、外装袋９の左側辺１０、右側辺１０ａと底辺１１により下向きに形成された三角形状の耳部１３、１３ａを、第１側体面４と第２側体面５の下縁と左側四角面部２及び右側四角面部３の下半をそれぞれ内側に折り曲げて出来た前記底面間との隙間からそれぞれ箱体Ａ内に押し込んで処理することにより全体を四角形の箱体Ａに固定する、
ｊ．前記四角形の箱体Ａ内の各辺の寸法と同一の大きさから成る四角形の段ボール板を偏平な四角形のプラスチックシート製の底袋１４内に密封して底板Ｃを形成し、この底板Ｃを前記ｉで四角形に形成された箱体Ａ内の底面上に内底として敷き込む、
ｋ．ことを特徴とするものである。
【０００５】
【作用】
上記発明の製法により得られた耐水断熱段ボール箱は、箱体Ａを開き、この中に外装袋９の上半を入れ、更に左右の底の部分に三角形状に残った耳部１３、１３ａを第１側体面４と第２側体面５の下縁と底面によってできた隙間から箱体Ａ内に挿入することによって箱体Ａを四角形に固定する。
そして、この箱体Ａは、そのままでも使用可能であるが、保形性と、底を平にして魚介類の姿を保つために、プラスチックフィルムでタイトに覆われた段ボール製の底板Ｃを挿入する。
また、箱体Ａに対して蓋が必要な場合には、箱体Ａと同一構造で、やや寸法的には大き目に構成された蓋Ｂを被せるようにする。
【０００６】
【発明の実施の形態】
図１〜図８に基づいて、本発明に係る耐水断熱段ボール箱及び底板の製法を詳述する。
図１は一枚の段ボール板１をカットして製作した箱部材８であって、この箱部材８は、左右に四角面部２、３を配置し、この四角面部２、３を上半において第１側体面４で連結し、且つこの第１側体面４で連結している一方の四角面部３の反対側の辺に前記第１側体面４と対称的に第２側体面５を形成し、他方の四角面部２の上半であって、第１側体面４が連続している反対側に貼り代面部６を形成し、前記四角面部２、３においては第１、２側体面４、５と同一巾に、第１、２側体面４、５においてはその中央であって縦方向に、貼り代面部６と四角面部２、３の境界に、夫々内側への折り目線７を入れた形状とされている。
【０００７】
次に、箱部材８を第１側体面４及び第２側体面５の中央の折り目線７で、図２に示すように、二つ折りになし、貼り代面部６を第２側体面５の外側又は内側に貼り付けて箱部材８を偏平な二つ折りに形成する（図３）。
【０００８】
図４において、９はプラスチックシート製の外装袋であって、この外装袋９は、左及び右側辺１０、１０ａと底辺１１が密封されていて、上辺１２が開放されており、内横巾が前記二つ折りの箱部材８の横巾よりもやや大きく、内縦巾が前記二つ折り箱部材８の縦巾の略２倍の大きさに設定されていて、この外装袋９内の下半に、図４において一点鎖線で示すように、二つ折りの箱部材８を挿入し、図５に示すように外装袋９の上辺１２を密封する。
【０００９】
次に、二つ折りの箱部材８を少し開いてこの中に外装袋９の上半を押し込むと共に（図６）、二つ折りの箱部材８を左右から押えて（図７）、第１側体面４と第２側体面５の２つ折り部分を一直線状に延して外装袋９内において箱部材８を四角形箱状に開放し、更に外装袋９の底側の三角形状に突出した耳部１３、１３ａを第１、第２側体面４、５下端縁と前後の四角面部２、３間の隙間から内部に夫々押し込んで（図８）、内外全面がプラスチック製の外装袋９でタイトに覆われた四角形の箱体Ａを形成（固定）する。
【００１０】
【実施例２】
図９は、実施例１で詳述した箱体Ａの蓋Ｂを示すもので、この蓋Ｂは、図９に示すように、箱体Ａに冠せて使用するものであることから、その大きさは箱体Ａに上から丁度嵌合する大きさとなる以外は、上述した実施例１の箱体Ａと全く同じ方法で製造されるので、重複を避ける意味でその詳細は実施例１に譲る。
なお、蓋Ｂは、図１１に示すように、一枚の段ボール板材１６の両側に折り目線１９を境にして側面１７、１８を形成し、これをプラスチックシート製の外装袋２０内に挿入してヒートシール２１を行って密封し、図１２に示すように、側面１７、１８を下方に９０°折ってコ字状に形成し、これを箱体Ａに上から冠せるような簡易な構造のものとしてもよい。なお、この実施例２の場合、側面１７、１８は箱体Ａの内側に入る。
【００１１】
【実施例３】
本実施例３は、実施例１で詳述した箱体Ａの内底に挿入される段ボール製の底板Ｃであって、この底板Ｃは、図１０で明らかなように、段ボール板を、箱体Ａの内底の形状と大きさに合わせて四角形にカットして平板１４を作り、これをプラスチック製シートで製作された外装袋１５内に入れて密封したものである。
なお、実施例１、２、３における外装袋９、１５、２０の材質は、ビニールシートを用いたが、その他、アルミラミネートフィルム、ポリエチレンの二重袋等を用いることができる。
【００１２】
【発明の効果】
本発明は以上のように、箱部材となる一枚の段ボール板について、特殊な加工をすることなく、一般の段ボール板をプラスチック製の袋に挿入して密閉するのみで、耐水性を得ることができる上に、組み立て解体がワンタッチで可能となっているため、組み立てに特殊な設備が不要であり、また、廃棄の際にも減容化が容易である。更に、簡単に段ボール板と外装体に分離することが可能であり、分別廃棄することにより、段ボール、外装袋共にリサイクルすることが可能になる。
【００１３】
また、段ボール板を箱部材としてその外側をプラスチック製の外装袋で密封することにより、段ボール板のフルート内の空気及び段ボールと外装袋の間の空気が断熱空間となり、蓋をして密閉すると高い断熱効果が得られる。
また、通常の段ボール板でよく、耐水性を必要としないので、低コストで製品化できる。
また、組み立てる前は偏平に折り畳んでおくことができるので、空での輸送及び保管にも場所をとらない。
【図面の簡単な説明】
【図１】  容器躯体板の説明図。
【図２】  容器躯体板の折り方の説明図。
【図３】  容器躯体の説明図。
【図４】  容器躯体を外装袋内に挿入する状態の説明図。
【図５】  容器躯体を外装袋内に挿入し、密封した状態の説明図。
【図６】  外装袋の上半を容器躯体内に押し込んだ状態の説明図。
【図７】  容器躯体を箱状に開放する状態の説明図。
【図８】  外装袋の下部の両角を容器躯体内に押し込んでいる状態の説明図。
【図９】  容器本体と蓋の説明図。
【図１０】  容器本体と底板の説明図。
【図１１】  簡易な蓋の説明図。
【図１２】  簡易な蓋を容器に冠せる状態の説明図。
【符号の説明】
１  段ボール板
２、３  四角面部
４  第１側体面
５  第２側体面
６  貼り代面部
７  折り目線
８  箱部材
９  外装袋
１０  左側辺
１０ａ  右側辺
１１  底辺
１２  上辺
１３、１３ａ  耳部
１４  平板
１５  外装袋
１６  段ボール板材
１７、１８  側面
１９  折り目線
２０  外装袋
２１  ヒートシール
Ａ  箱体
Ｂ  蓋
Ｃ  底板
【図１】
0004149017.tif 000002
【図２】
0004149017.tif 000003
【図３】
0004149017.tif 000004
【図４】
0004149017.tif 000005
【図５】
0004149017.tif 000006
【図６】
0004149017.tif 000007
【図７】
0004149017.tif 000008
【図８】
0004149017.tif 000009
【図９】
0004149017.tif 000010
【図１０】
0004149017.tif 000011
【図１１】
0004149017.tif 000012
【図１２】
0004149017.tif 000013